(57)【要約】【課題】水濡れにも強く、重量物にも耐えられる強度を有し、かつ、締結装置の小型・軽量化も可能な紙針用のステープラを提供する。【解決手段】紙針１０は、防水加工を施した紙材料によって構成されており、本体部１２と、その両端において折り曲げられる一対の脚部１４，１６を有し、前記本体部１２には、任意のロゴ２６が形成されている。脚部外面１４Ａには、プラスチック製の面ファスナー２０のループ２２を設け、脚部内面１６Ｂには、面ファスナー２０のフック２４を設ける。そして、紙針１０を締結装置５０にセットし、重ね合わせたダンボール４２，４４に切り込み穴４６を設けて脚部１４，１６を貫通させ、ダンボール４４の裏側で面ファスナー２０を結合してダンボール４２，４４を締結する。このため、水濡れにも強く、重量物にも耐えられる強度を有し、かつ、締結装置５０の小型化・軽量化も可能となる。【選択図】図１
2014205236.tif 000002
【特許請求の範囲】
【請求項１】
平面状の本体部と、該本体部の両端において略直角に折り曲げられる対向する一対の脚部を有し、該一対の脚部が折り曲げられる紙針用のステープラであって、
前記脚部を折り曲げるための案内台を備えており、
該案内台は、前記脚部の先端が接触する第１及び第２の頂部を備えており、
該第１及び第２の頂部の間に段差を設けることで、前記脚部の一部が重なり合うように折り曲げることを特徴とする紙針用ステープラ。
【請求項２】
平面状の本体部と、該本体部の両端において略直角に折り曲げられる対向する一対の脚部を有し、該一対の脚部が前記本体部に対して略平行に折り曲げられたときに、互いに一部が重なる長さに形成され、かつ、重なり合う部分が接着手段で接着される紙針用のステープラであって、
長手方向の前端側に前記紙針１つが通過可能な開口を有する底面と、該底面の両縁部に沿って立設され前記紙針を長手方向に案内する一対の側面と、前記底面の前記前端に立設された端面により構成されており、複数連続した紙針を格納可能な外枠，
前記紙針の内面を受ける一対の側面を有するとともに、一方の端部が前記外枠底面の開口に近接するように該外枠内に固定されており、前記一対の側面に、前記紙針の接着手段と接触しない凹部が長手方向に形成されたマガジン，
前記紙針を、前記外枠の前端側へ向けて付勢する付勢手段，
前記外枠の後端側に回動可能に取り付けられており、長手方向前端側に、前記外枠底面の開口上に位置する紙針を下方に押し込む押下げ部材を有するレバー，
前記押下げ部材の両側面に固定されており、該押下げ部材の下端部を超えて下方に伸び、前記外枠底面の開口を通過するとともに、下端部に切刃を備えた一対のカッタ，
前記外枠の下方に配置されており、シート状の対象物を受けるとともに、前記一対のカッタが通過可能な開口を有する受け板，
該受け板の開口の下方に配置されており、該開口から押し出されるカッタを受けて互いに遠ざかる方向に案内する第１ガイド部と、該開口から押し出される紙針の脚部を受けて本体部に対して略平行に折り曲げるように案内する第２ガイド部を有する案内台，
該案内台の上面を貫通して昇降し、前記折り曲げられたステープルの脚部を、前記押下げ部材との間に挟み込み可能な押上げ部材，
前記レバーの回動に応じて、前記押上げ部材を昇降させる押上げ機構，
を備えるとともに、
前記案内台は、その上面に、一方の頂部側の方が、他方の頂部側よりも高くなるような段差を、前記第２のガイド部として有しており、前記両頂部の内側のカーブによって、案内される一対の脚部の折り曲げのタイミングをずらすことを特徴とする紙針用ステープラ。
【請求項３】
前記本体部及び一対の脚部が防水性ないし耐水性を有するとともに、
前記一対の脚部の一方の脚部の外面であって、他方の脚部の内面と重なり合う部分に、プラスチック製の面ファスナーのループ側又はフック側のいずれか一方を設け、
前記一対の脚部の他方の脚部の内面であって、前記一方の脚部の外面と重なり合う部分に、前記面ファスナーのループ側又はフック側の他方を設けた、
ことを特徴とする請求項１又は２記載の紙針用ステープラ。
【請求項４】
前記紙針が、ダンボール綴じ用の紙針であることを特徴とする請求項３記載の紙針用ステープラ。
【請求項５】
前記本体部に、文字，数字，記号，図形，絵，写真の表示，もしくは着色を行ったことを特徴とする請求項３又は４記載の紙針用ステープラ。
【請求項６】
前記文字が、生産者名，企業名，役所名，部署名，商品名，任意のＰＲのいずれかであることを特徴とする請求項５記載の紙針用ステープラ。
【発明の詳細な説明】
【技術分野】
【０００１】
本発明は、紙針（紙製のステープル）用のステープラに関するものである。
【背景技術】
【０００２】
現行のダンボールは、内容物が重量物であることが多く、太い強靭な金属針を強い力で曲げる必要上、固定式かつ電動式の大型機を使用して締結しており、その締結装置の価格も数１０万〜数１００万円と高価格である。このような金属針を使用して製造したダンボール製品の使用後の始末解体には、折り曲げた強靭な金属針を外すために、例えば、下記特許文献１に示す「段ボール製品のステープル取り外し治具」のような道具を用いる。
【先行技術文献】
【特許文献】
【０００３】
【特許文献１】特開２００１−２２５２８１号公報
【発明の概要】
【発明が解決しようとする課題】
【０００４】
しかしながら、以上のような道具を利用してもなお、使用済みのダンボール製品の始末解体に労力を要することには変わりがない。そこで、紙針（紙製ステープル）を利用してダンボールを締結することができれば、利用後の解体は容易になるため都合がよい。ところが、紙針は耐水性がなく、重量物を梱包するためのダンボール箱などを製造するには強度が不足しているという不都合があった。
【０００５】
本発明は、以上のような点に着目したもので、水濡れにも強く、重量物にも耐えられる強度を有し、かつ、締結装置の小型・軽量化も可能なダンボール綴じ用紙針に適したステープラを提供することを、その目的とする。
【課題を解決するための手段】
【０００６】
本発明は、平面状の本体部と、該本体部の両端において略直角に折り曲げられる対向する一対の脚部を有し、該一対の脚部が折り曲げられる紙針用のステープラであって、前記脚部を折り曲げるための案内台を備えており、該案内台は、前記脚部の先端が接触する第１及び第２の頂部を備えており、該第１及び第２の頂部の間に段差を設けることで、前記脚部の一部が重なり合うように折り曲げることを特徴とする。
他の発明は、平面状の本体部と、該本体部の両端において略直角に折り曲げられる対向する一対の脚部を有し、該一対の脚部が前記本体部に対して略平行に折り曲げられたときに、互いに一部が重なる長さに形成され、かつ、重なり合う部分が接着手段で接着される紙針用のステープラであって、長手方向の前端側に前記紙針１つが通過可能な開口を有する底面と、該底面の両縁部に沿って立設され前記紙針を長手方向に案内する一対の側面と、前記底面の前記前端に立設された端面により構成されており、複数連続した紙針を格納可能な外枠，前記紙針の内面を受ける一対の側面を有するとともに、一方の端部が前記外枠底面の開口に近接するように該外枠内に固定されており、前記一対の側面に、前記紙針の接着手段と接触しない凹部が長手方向に形成されたマガジン，前記紙針を、前記外枠の前端側へ向けて付勢する付勢手段，前記外枠の後端側に回動可能に取り付けられており、長手方向前端側に、前記外枠底面の開口上に位置する紙針を下方に押し込む押下げ部材を有するレバー，前記押下げ部材の両側面に固定されており、該押下げ部材の下端部を超えて下方に伸び、前記外枠底面の開口を通過するとともに、下端部に切刃を備えた一対のカッタ，前記外枠の下方に配置されており、シート状の対象物を受けるとともに、前記一対のカッタが通過可能な開口を有する受け板，該受け板の開口の下方に配置されており、該開口から押し出されるカッタを受けて互いに遠ざかる方向に案内する第１ガイド部と、該開口から押し出される紙針の脚部を受けて本体部に対して略平行に折り曲げるように案内する第２ガイド部を有する案内台，該案内台の上面を貫通して昇降し、前記折り曲げられたステープルの脚部を、前記押下げ部材との間に挟み込み可能な押上げ部材，前記レバーの回動に応じて、前記押上げ部材を昇降させる押上げ機構，を備えるとともに、前記案内台は、その上面に、一方の頂部側の方が、他方の頂部側よりも高くなるような段差を、前記第２のガイド部として有しており、前記両頂部の内側のカーブによって、案内される一対の脚部の折り曲げのタイミングをずらすことを特徴とする。
【０００７】
主要な形態の一つは、前記本体部及び一対の脚部が防水性ないし耐水性を有するとともに、前記一対の脚部の一方の脚部の外面であって、他方の脚部の内面と重なり合う部分に、プラスチック製の面ファスナーのループ側又はフック側のいずれか一方を設け、前記一対の脚部の他方の脚部の内面であって、前記一方の脚部の外面と重なり合う部分に、前記面ファスナーのループ側又はフック側の他方を設けた、ことを特徴とする。他の形態の一つは、前記紙針が、ダンボール綴じ用の紙針であることを特徴とする。更に他の形態によれば、前記本体部に、文字，数字，記号，図形，絵，写真の表示，もしくは着色を行ったことを特徴とする。更に他の形態によれば、前記文字が、生産者名，企業名，役所名，部署名，商品名，任意のＰＲのいずれかであることを特徴とする。本発明の前記及び他の目的，特徴，利点は、以下の詳細な説明及び添付図面から明瞭になろう。
【発明の効果】
【０００８】
本発明によれば、防水加工を施した紙針を使用し、該紙針の一対の脚部の重ね合わせ部分を、プラスチック製の面ファスナーのループとフックの係合により締結することとしたので、水濡れにも強く、重量物にも耐えられる強度を有し、かつ、締結装置の小型化・軽量化も可能となる。
【図面の簡単な説明】
【０００９】
【図１】本発明の実施例１を示す図であり、(A)は紙針を示す外観斜視図，(B-1)は本実施例の紙針によるダンボールの締結の様子を示す主要断面図，(B-2)は面ファスナーの結合前の状態を示す拡大図，(C)は本実施例の紙針を利用するための締結装置の一例を示す図である。
【図２】前記実施例の作用を示す図である。
【発明を実施するための形態】
【００１０】
以下、本発明を実施するための形態を、実施例に基づいて詳細に説明する。
【実施例１】
【００１１】
最初に、図１及び図２を参照しながら本発明の実施例１を説明する。図１(A)は、本実施例の紙針を示す外観斜視図，図１(B-1)は紙針によるダンボールの締結の様子を示す主要断面図，図１(B-2)は面ファスナーの結合前の状態を示す拡大図，図１(C)は本実施例の紙針を利用するための締結装置の一例を示す図である。図２は、本実施例の作用を示す図である。本発明の紙針（紙製ステープル）は、重量物などを内容物とするダンボール製品（ダンボール箱など）を製造するために、ダンボール同士を締結するものである。
【００１２】
図１(A)に示すように、本実施例の紙針１０は、略平面状の本体部１２と、該本体部１２の両端において略直角に折り曲げられる対向する一対の脚部１４，１６によって、全体が略コ字状に形成されている。前記本体部１２及び脚部１４，１６は、防水加工を施した公知の各種の紙素材によって形成されている。前記脚部１４，１６は、前記本体部１２に対して略平行に折り曲げられたときに（例えば、図１(B-1)の状態）に、互いに一部が重なり合う長さに形成されている。また、一方の脚部１４の外面１４Ａには、前記他方の脚部１６の内面１６Ｂと重なり合う位置に、面ファスナー２０のループ２２が設けられており、他方の脚部１６の内面１６Ｂには、前記脚部外面１４Ａと重なり合う位置に、面ファスナー２０のフック２４が設けられている。前記面ファスナー２０は、締結時に十分な強度を確保するために、プラスチック製のものが利用される。また、前記本体部１２には、任意のロゴ２６が印刷により形成されている。図示の例では、前記ロゴ２６として、「○×県庁生産流通課」と表示されているが、これは一例であって、前記ロゴ２６としては、生産者名、企業名、役所名、部署名（例えば、総務部、営業部、経理部、人事部等）、商品名などの文字，数字，記号，図形などの表示のほか、キャラクラー人形や動物等の絵や写真を入れて、ＰＲなどに活用してもよい。着色も可能である。
【００１３】
前記紙針１０は、複数の針が連結した連結シート３０を、ロール４０から引き出し、所望の位置の連結部２８で切断して、後述する締結装置５０にセットされる。前記締結装置５０を利用すると、図１(B-1)に示すように、重ね合わせたダンボール４２，４４に、２ヵ所の切り込み穴４６が形成され、これら切り込み穴４６を貫通した脚部１４，１６がダンボール４４の裏側で重なり合う。そして、脚部１４側のループ２２と、脚部１６側のフック２４が係合するため、強力な締結状態が維持される。
【００１４】
前記締結装置５０の構成について、図１(C)を参照して説明する。なお、ここで説明する締結装置５０は一例であり、本願出願人が考案した実用新案登録第３１４２７５２号に開示されたステープラの構造を改良したものを使用している。すなわち、締結装置５０は、外枠５２，マガジン６０，付勢手段７０，本体カバー８０，下カバー部８４，その上面８６に形成された開口８８，レバー９０，押下げ部材９２，カッタ９６及び９８，案内台１００，押上げ部材１１０，押上げ機構１２０などにより構成されている。これら各部の作用は、前記実用新案登録第３１４２７５２号と基本的には同様であるので、詳述は省略するが、本発明では、紙針１０の一対の脚部１４及び１６の折り曲げのタイミングをずらす必要上、前記案内台１００の形状を改良している。具体的には、図２(A)〜(E)に示すように、案内台１００の上面に、一方の頂部１０２Ａ側の方が、他方の頂部１０２Ｂ側よりも高くなるような段差１０４を設けることにより、これら頂部１０２Ａ及び１０２Ｂの内側のカーブによって案内される脚部１４及び１６の折り曲げのタイミングをずらしたものである。また、必要に応じて、連結された紙針１０を切り離すためのカッタを設けるようにしてもよい。
【００１５】
次に、図２(A)〜(E)も参照して、本実施例の作用を説明する。まず、締結装置５０のレバー９０を上方に開き、外枠５２内のマガジン６０に、略コ字状に折り曲げた紙針１０の連結シート３０をセットする。連結シート３０は、付勢手段７０によって前方に付勢されており、先端の一つの紙針１０が、前記外枠５２の底面の開口５４上に位置している。前記紙針１０は、カッタ９６，９８の間に挟まれるとともに、押下げ部材９２の本体９４の下側に位置し、かつ、前記カッタ９６，９８の下端の突起９７，９９の上方に位置している。なお、前記カッタ９６，９８の先端部分は、前記外枠５２の底面の開口５４を通過して下方に突き出している。そして、前記下カバー部８４の上面８６の上に、綴じるダンボール４２及び４４を挟むようにセットする。
【００１６】
そして、前記レバー９０を押下げると、前記押下げ部材９２とカッタ９６，９８は一体となって下方に移動し、前記上面８６にセットされたダンボール４２，４４に、カッタ９６，９８の切刃９６Ａ，９８Ａによって切り込み穴４６が形成される。更にレバー９０の押下げを続けると、前記カッタ９６，９８の下端側の突起９７，９９が通過することにより、前記切り込み穴４６が押し広げられる。このため、前記脚部１４及び１６の前記ループ２２及びフック２４が、切り込み穴４６を通過可能となる（図２(B)）。
【００１７】
更にレバー９０を押下げると、カッタ９６，９８の突起９７，９９の下側斜面９７Ａ，９９Ａが、前記案内台１００の外側斜面１００Ａ，１００Ｂに接触し、前記カッタ９６，９８が互いに離れる方向にガイドされる。すると、まず、前記紙針１０の脚部１４の先端が、前記案内台１００の内側曲面１０１Ａに接触し、続いて、前記紙針１０の他方の脚部１６の先端が、前記案内台１００の内側曲面１０１Ｂに接触し、これら脚部１４，１６の一部が重なり合うように、前記本体部１２に対して略平行な方向に折り曲がるようにガイドされる（図２(C)）。これと同時に、前記レバー９０の下端面９０Ａが、押上げ機構１２０の伝達部材１１２のアーム１１２Ａ，１１２Ｂに接触し、ピン１１４を支点として前記伝達部材１１２に接続したアーム１１６Ａと１１６Ｂが回動するため、前記アーム１１６Ａの先端が、前記案内台１００の図示しない案内溝に沿って上昇し始める。すると、前記アーム１１６Ａに接続された押上げ部材１１０の上面が、図２(D)に示すように、折り曲げられた脚部１４，１６を、ダンボール４２，４４に向けて押し上げる。
【００１８】
引き続きレバー９０を押下げると、図２(D)に示すように、前記押上げ部材１１０と前記押下げ部材９２の本体９４によって、前記脚部１４，１６及びループ２２及びフック２４が挟み込まれ、前記脚部１４のループ２２と、脚部１６のフック２４が係合し、ダンボール４２，４４が確実に綴じられる。締結が完了し、前記レバー９０を押下げる力を解除すると、該レバー９０は、図示しない押上げバネの作用により、所定の高さまで復帰する（図２(E)）。その後、綴じられたダンボール４２，４４を、締結装置５０から外し、他の締結対象を挟んで上記と同様の動作を行う。
【００１９】
このように、実施例１によれば、防水加工を施した紙針１０を使用し、該紙針１０の一対の脚部１４，１６の重ね合わせ部分を、プラスチック製の面ファスナー２０のループ２２とフック２４の係合により締結することとしたので、次のような効果がある。
ａ，防水加工を施した紙材料により形成したため、水濡れに強い。
ｂ，プラスチック製の面ファスナー２０を利用しているため、従来の金属針を利用した場合と比べて強度に遜色がなく、重量物にも耐えることができる。
ｃ，紙針１０は、強靭であるが、軽く取り扱い自在なので、締結装置５０の軽量化・小型化により、ポータブル手動式が可能となる。また、従来の固定式の大掛かりな装置に比べて大幅なコスト低減が可能である。
ｄ，紙針１０を利用してダンボール４２，４４を締結するため、ダンボール製品の利用後に始末する時には、カッタや鋏を使用することで、容易に解体できる。
ｅ，紙針１０の本体部１２にロゴ２６を設けることとしたので、企業名や生産者表示，あるいは、任意のＰＲなどを表示することができる。
ｆ，紙針１０を利用しているため、廃棄時に環境に与える影響が少ない。
【００２０】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。
(2)前記実施例では、一方の脚部１４の外面１４Ａにループ２２を設け、他方の脚部１６の内面１６Ｂにフック２４を設けることとしたが、逆であってもよい。また、脚部外面１６Ａと脚部内面１４Ｂが重なり合う構成としてもよい。
(3)前記実施例では、紙針１０がロール状に巻かれた状態を示したが、これも一例であり、必要に応じてロール状にすればよい。
(4)前記締結装置５０の構造は一例であり、前記一対の脚部１４及び１６が折り曲げられるタイミングをずらす機構を備えたものであればよい。
【００２１】
(5)前記実施例では、ダンボール４２，４４の重ね合わせ部分の締結に本発明の紙針１０を利用することとしたが、これも一例であり、ダンボールの突き合わせ部分の連結に使用してもよい。
(6)前記実施例で示したロゴ２６も一例であり、必要に応じて設けるようにすればよく、また、表示する内容も任意に変更してよい。
(7)面ファスナー２０としては、一度接着した後の引き剥がしが可能なものであってもよいし、引き剥がしが不可能なものであってもよい。
(8)本発明の紙針１０を使用して製作されたダンボール製品は、公知の各種物品の梱包などの用途全般に適用可能である。
【産業上の利用可能性】
【００２２】
本発明によれば、防水加工を施した紙針を使用し、該紙針の一対の脚部の重ね合わせ部分を、プラスチック製の面ファスナーのループとフックの係合により締結することとしたので、水濡れにも強く、重量物にも耐えられる強度を有し、かつ、締結装置の小型化・軽量化も可能となるので、ダンボールの締結の用途に適用できる。特に、金属針を使用した場合と遜色ない強度を有することから、重量物の梱包のために使用されるダンボールの締結の用途に好適である。
【符号の説明】
【００２３】
１０：紙針（ステープル）
１２：本体部
１４，１６：脚部
１４Ａ，１６Ａ：外面
１４Ｂ，１６Ｂ：内面
２０：面ファスナー
２２：ループ
２４：フック
２６：ロゴ
２８：連結部
３０：連結シート
４０：ロール
４２，４４：ダンボール
４６：切り込み穴
５０：締結装置（ステープラ）
５２：外枠
５４：開口
６０：マガジン
７０：付勢手段
８０：本体カバー
８２：上カバー部
８４：下カバー部
８６：上面
８８：開口
９０：レバー
９０Ａ：下端面
９２：押下げ部材
９４：本体
９６，９８：カッタ
９６Ａ，９８Ａ：切刃
９７，９９：突起
９７Ａ，９９Ａ：下側斜面
１００：案内台
１００Ａ，１００Ｂ：外側斜面
１０１Ａ，１０１Ｂ：内側曲面
１０２Ａ，１０２Ｂ：頂部
１０４：段差
１１０：押上げ部材
１１２：伝達部材
１１２Ａ，１１２Ｂ：アーム
１１４：ピン
１１６Ａ，１１６Ｂ：アーム
１２０：押上げ機構
【図１】
2014205236.tif 000003
【図２】
2014205236.tif 000004